(57)【要約】【課題】既設のバラストラインに容易に組み込むことができ、予め水生生物や細菌類が所定値以下となるまで殺滅されたクリーンなバラスト水を簡単にバラストタンクに受け入れることのできるバラスト処理水の受入装置を提供すること。【解決手段】バラストポンプ１４によってシーチェスト１１から取水されるバラスト水をバラストタンクに移送するバラストライン１２を備えた船舶１に搭載されるバラスト処理水の受入装置２であって、一端がバラストライン１２におけるバラストポンプ１４の入口側に接続される導入配管２１と、導入配管２１にそれぞれ設けられ、バラスト処理水を受給するための複数の受水口２３ｂ’、２３ｄ’と、複数の受水口２３ｂ’、２３ｄ’の各々の流路の開閉を行う開閉弁２４と、開閉弁２４を制御して複数の受水口２３ｂ’、２３ｄ’のうちからバラスト処理水を受給する１又は２以上の受水口を選択する制御手段とを備える。【選択図】    図３
2008189205.tif 000002
【特許請求の範囲】
【請求項１】
バラストポンプの作動によってシーチェストから取水されるバラスト水をバラストタンクに移送するバラストラインを備えた船舶に搭載されるバラスト処理水の受入装置であって、
一端が前記バラストラインにおける前記バラストポンプの入口側に接続される導入配管と、
前記導入配管にそれぞれ設けられ、バラスト処理水を受給するための複数の受水口と、
前記複数の受水口の各々の流路の開閉を行う開閉弁と、前記開閉弁を制御して前記複数の受水口のうちからバラスト処理水を受給する１又は２以上の受水口を選択する制御手段とを備えてなることを特徴とするバラスト処理水の受入装置。
【請求項２】
前記複数の受水口は、接続部の口径が異なる２以上のグループに分けられていることを特徴とする請求項１記載のバラスト処理水の受入装置。
【請求項３】
前記受水口は接続ホースの先端に形成されていると共に、船舶デッキ上に設けられ、前記接続ホースの各々を吊下げ支持して船体側方への繰り出し及び収納を行うホースハンドリングダビットを備えることを特徴とする請求項１又は２記載のバラスト処理水の受入装置。
【請求項４】
前記受水口は、船体側面に開口することを特徴とする請求項１又は２記載のバラスト処理水の受入装置。
【請求項５】
バラストポンプの作動によってシーチェストから取水されるバラスト水をバラストタンクに移送するバラストラインと、
請求項１〜４のいずれかに記載のバラスト処理水の受入装置とを備えることを特徴とする船舶。
【発明の詳細な説明】
【技術分野】
【０００１】
本発明はバラスト処理水の受入装置及び船舶に関し、詳しくは、バラスト水の処理装置を持たない既造船舶のバラストタンクに、予め水生生物や細菌類が殺滅されたクリーンなバラスト水（バラスト処理水）を受け入れるためのバラスト処理水の受入装置及びこれを供えた船舶に関する。
【背景技術】
【０００２】
コンテナ船等の貨物用船舶から排水されるバラスト水中には、それを取水した港湾に生息する水生生物や細菌類が混入しており、船舶の移動に伴い、これら水生生物や細菌類が同時に異国に運ばれることから、もともとその海域には生息していなかった生物種が、既存生物種に取って代わるといった生態系の破壊が深刻化している。
【０００３】
このような背景のもと、国際海事機関（ＩＭＯ）の外交会議において、船舶のバラスト水及び沈殿物の規制及び管理のための条約（以下、条約という）が採択され、バラスト水管理の実施義務が２００９年以降の建造船から適用される予定となっている。
【０００４】
このため、船舶からは条約を満たすクリーンなバラスト水を排水できるようにすることが求められている。
【０００５】
例えば特許文献１〜３には、水生生物や細菌類を殺滅するための具体的な手段が開示されている。
【特許文献１】特開２００４−１６０４３７号公報
【特許文献２】特開２００３−２００１５６号公報
【特許文献３】米国特許第６１２５７７８号明細書
【発明の開示】
【発明が解決しようとする課題】
【０００６】
船舶から条約を満たすようなクリーンなバラスト水を排水できるようにするには、水中の水生生物や細菌類を所定値以下となるように殺滅処理するための処理装置を船舶内に設置して取水時にバラスト水の処理を行う方法が考えられる。
【０００７】
しかし、処理装置を新たに搭載することはコストがかかるばかりでなく、特に既造船舶の場合、既設の配管類や装置類がスペースを取っているため、船舶内部に新たに処理装置を設置するスペースを確保することは困難である。
【０００８】
このため、本発明者は、水生生物や細菌類が所定値以下となるまで殺滅されたクリーンなバラスト水（バラスト処理水）を生成することのできる処理装置を搭載したバラスト処理水供給船を用意し、このバラスト処理水供給船からバラスト水の処理装置を持たない船舶、特に既造船舶に対してバラスト処理水を供給することを検討しているが、この場合、次のような解決すべき新たな問題がある。
【０００９】
一般に、バラスト水の取水は水面下の船底付近に設けられたシーチェストから行われるため、バラスト処理水を受け入れる場合もこのシーチェストから受け入れる方法が考えられる。しかし、バラスト処理水を受け入れるためのホースを水面下に位置するシーチェストに接続することは極めて困難である。
【００１０】
また、仮にバラスト処理水を受け入れることができたとしても、バラスト処理水供給船が常に十分な供給能力を備えているとは限らないため、通常通りシーチェストからバラスト水を取水する場合と同様の作業時間でバラスト処理水の受給を完了できるとは限らない。バラスト処理水の受給が遅れると、それだけ出航が遅延する等、船舶の運航スケジュールに支障をきたすおそれがある。
【００１１】
本発明者は、かかる問題点を解決し得るようなバラスト処理水の受給を可能にするための船舶における最低限の付加設備について検討した結果、本発明に至ったものであり、本発明は、既設のバラストラインに容易に組み込むことができて、予め水生生物や細菌類が所定値以下となるまで殺滅されたクリーンなバラスト水（バラスト処理水）を簡単にバラストタンクに受け入れることのできるバラスト処理水の受入装置を提供することを課題とする。
【００１２】
また、本発明は、予め水生生物や細菌類が所定値以下となるまで殺滅されたクリーンなバラスト水（バラスト処理水）を簡単にバラストタンクに受け入れることのできる船舶を提供することを課題とする。
【００１３】
本発明の他の課題は、以下の記載により明らかとなる。
【課題を解決するための手段】
【００１４】
上記課題は、以下の各発明によって解決される。
【００１５】
（請求項１）
バラストポンプの作動によってシーチェストから取水されるバラスト水をバラストタンクに移送するバラストラインを備えた船舶に搭載されるバラスト処理水の受入装置であって、
一端が前記バラストラインにおける前記バラストポンプの入口側に接続される導入配管と、
前記導入配管にそれぞれ設けられ、バラスト処理水を受給するための複数の受水口と、
前記複数の受水口の各々の流路の開閉を行う開閉弁と、前記開閉弁を制御して前記複数の受水口のうちからバラスト処理水を受給する１又は２以上の受水口を選択する制御手段とを備えてなることを特徴とするバラスト処理水の受入装置。
【００１６】
（請求項２)
前記複数の受水口は、接続部の口径が異なる２以上のグループに分けられていることを特徴とする請求項１記載のバラスト処理水の受入装置。
【００１７】
（請求項３)
前記受水口は接続ホースの先端に形成されていると共に、船舶デッキ上に設けられ、前記接続ホースの各々を吊下げ支持して船体側方への繰り出し及び収納を行うホースハンドリングダビットを備えることを特徴とする請求項１又は２記載のバラスト処理水の受入装置。
【００１８】
（請求項４)
前記受水口は、船体側面に開口することを特徴とする請求項１又は２記載のバラスト処理水の受入装置。
【００１９】
（請求項５)
バラストポンプの作動によってシーチェストから取水されるバラスト水をバラストタンクに移送するバラストラインと、
請求項１〜４のいずれかに記載のバラスト処理水の受入装置とを備えることを特徴とする船舶。
【発明の効果】
【００２０】
本発明によれば、既設のバラストラインに容易に組み込むことができて、予め水生生物や細菌類が所定値以下となるまで殺滅されたクリーンなバラスト水（バラスト処理水）を簡単にバラストタンクに受け入れることのできるバラスト処理水の受入装置を提供することができる。
【００２１】
また、本発明によれば、予め水生生物や細菌類が所定値以下となるまで殺滅されたクリーンなバラスト水（バラスト処理水）を簡単にバラストタンクに受け入れることのできる船舶を提供することができる。
【発明を実施するための最良の形態】
【００２２】
以下、本発明の実施の形態について図面を用いて説明する。
【００２３】
図１はバラスト処理水の受入装置を装備した船舶の概略構成を示す側面図、図２はその平面図、図３はバラスト処理水の受入装置を装備した船舶の内部構成を示す概略図である。
【００２４】
図中、１はバラスト処理水を受給する船舶（既造船舶）、２はバラスト処理水の受入装置である。受入装置２は、図１、図２ではデッキ１Ａ上に設けられた部分のみが示されている。
【００２５】
船舶１の内部には、船底付近に設けられたシーチェスト１１からバラスト水を取水してバラストタンク（図示せず）に注水するためのバラストライン１２が配設されている。バラストライン１２には、該バラストライン１２の開閉を行う開閉弁１３と、バラストライン１２中のバラスト水をバラストタンクに移送するためバラストポンプ１４とが設けられており、これらはいずれも船舶１内の既設の装備である。
【００２６】
ここで、このバラストポンプ１４は３０００ｍ3／ｈｒの能力を有するものとする。
【００２７】
本発明に係るバラスト処理水の受入装置２は、受給したバラスト処理水を既設のバラストライン１２に移送するための導入配管２１を備えている。
【００２８】
導入配管２１は、一端２１ａが船舶１内部においてバラストライン１２に接続された船内配管部２１ｂと、該船内配管部２１ｂに連続し、デッキ１Ａ上を貫通して船舶１を横断する方向に分岐するＴ字状部２１ｃと、該Ｔ字状部２１ｃの端部がそれぞれ船首側に延びて形成された右舷直管部２１ｄ及び左舷直管部２１ｅによって構成されている。
【００２９】
船内配管部２１ｂの一端２１ａの介設箇所は、バラストポンプ１４の入口側（吸込み側）であって、開閉弁１３とバラストポンプ１４との間に位置される。従って、開閉弁１３を閉じた状態にしてバラストポンプ１４を作動させれば、シーチェスト１１からの取水は阻止され、導入配管２１側からの取水が可能となる。
【００３０】
右舷直管部２１ｄ及び左舷直管部２１ｅには、それぞれ接続管２２ａ〜２２ｄを介して接続ホース２３ａ〜２３ｄの一端が接続されている。各接続ホース２３ａ〜２３ｄの他端（先端）にはバラスト処理水の受水口２３ａ’〜２３ｄ’が形成されている。
【００３１】
各接続管２２ａ〜２２ｄは、右舷直管部２１ｄ及び左舷直管部２１ｅからそれぞれ側方に向けて分岐されており、接続ホース２３ａ〜２３ｄを介して受給されるバラスト処理水の流量を調整すると共に開閉を行う開閉弁２４と、その流量を計測する流量計２５とが各々設けられている。
【００３２】
なお、ここでは、右舷及び左舷にそれぞれ２本ずつの接続ホース２３ａ〜２３ｄが設けられているが、接続ホース２３ａ〜２３ｄの配置態様は特に問わず、例えば右舷側又は左舷側に４本全てを配置するようにしてもよい。
【００３３】
各接続ホース２３ａ〜２３ｄは、後述するバラスト処理水供給船に向けて延長可能な長さを有するフレキシブルなホースからなり、船舶１のデッキ１Ａ上に立設されたホースハンドリングダビッド２６にそれぞれ吊下げ支持されている。各接続ホース２３ａ〜２３ｄは、このホースハンドリングダビット２６によって船体側方への繰り出し及び収納がそれぞれ個別に行われるようになっている。
【００３４】
また、接続ホース２３ａ〜２３ｄは、ここでは受水口２３ａ’〜２３ｄ’の接続部の口径が異なる２種類のグループに分かれている。
【００３５】
すなわち、４本の接続ホース２３ａ〜２３ｄのうちの３本の接続ホース２３ａ〜２３ｃは、それぞれ１０００ｍ3／ｈｒ用の口径の接続部を受水口２３ａ’〜２３ｃ’に備えたホースのグループとされている。従って、１０００ｍ3／ｈｒ用の口径の接続部を備えたバラスト処理水供給船からバラスト処理水を受給する場合に、これら３本の接続ホース２３ａ〜２３ｃを使用することができる。
【００３６】
このとき、これら３本の接続ホース２３ａ〜２３ｃを同時に使用することで、それぞれ１０００ｍ3／ｈｒの供給能力を有する３隻のバラスト処理水供給船から、合計３０００ｍ3／ｈｒのバラスト処理水を受給することができる。
【００３７】
また、残りの１本の接続ホース２３ｄは、接続ホース２３ａ〜２３ｃの接続部の口径よりも大きい３０００ｍ3／ｈｒ用の口径の接続部を受水口２３ｄ’に備えたホースのグループとされている。
【００３８】
このため、この１本の接続ホース２３ｄによって３０００ｍ3／ｈｒのバラスト処理水の受給に対応することができるようなっている。
【００３９】
船舶の持っているバラストポンプの容量が３０００ｍ3／ｈｒの場合、バラスト処理水供給船のポンプ容量も３０００ｍ3／ｈｒが望ましいが、寄港地やバラスト処理水供給スケジュールによってポンプ容量の小さいバラスト処理水供給船しか用意できない場合があるので、このようにバラスト処理水の受水箇所を多数設けている。
【００４０】
船舶の運航会社は、船舶運航管理ウェブサイト等を利用して、事前にバラスト処理水供給のスケジュールを連絡すると共に、バラスト処理水供給船を保有する会社も上述のウェブサイトに参加して、バラスト処理水供給船の保有情報を流し、船舶の入港スケジュールを得ることが好ましい。
【００４１】
更に、バラスト処理水供給船保有会社は、バラスト処理水供給の受付システムを構築して、バラスト処理水供給のスケジュール管理をすることが好ましい。
【００４２】
図４は、かかる受入装置２の制御を行う制御部の構成を示す構成図である。
【００４３】
制御部３は、各開閉弁２４の開閉及び開度調整を行うべく、各開閉弁２４と制御可能に接続されている。また、各流量計２５は、各々の測定値が制御部３に入力されるように接続されている。
【００４４】
入力部４は、例えば作業者による各開閉弁２４を制御するための入力操作を受け付け、制御部３に入力信号を出力する。制御部３では、入力部４からの入力信号に基づいて、各開閉弁２４を個別に制御することにより、接続ホース２３ａ〜２３ｄの流路を個別に開閉制御し、バラスト処理水を受給する接続ホース２３ａ〜２３ｄを選択する。
【００４５】
表示部５は、例えば接続ホース２３ａ〜２３ｄのうちの受給を行っているホースの情報、そのときの流量計２５の測定値の情報等の各種情報を表示する。
【００４６】
これら制御部３、入力部４及び表示部５は、例えば船舶１の操舵室等に設置される。
【００４７】
次に、かかるバラスト処理水の受入装置２を搭載した船舶１において、バラスト処理水供給船からバラスト処理水を受給する様子について、図５、図６に示す模式図を用いて説明する。
【００４８】
図５は、各々１０００ｍ3／ｈｒのバラスト処理水の供給能力を有する３隻のバラスト処理水供給船１００からバラスト処理水を受給する様子を示している。
【００４９】
ここで、バラスト処理水供給船１００は、水生生物や細菌類が所定値以下となるように殺滅されたクリーンなバラスト処理水を生成するための処理装置を備えたバラスト水処理のための専用船である。処理装置は、水生生物や細菌類を、条約を満足する程度に殺滅するものであり、例えば熱、超音波、紫外線、銀イオン、電気等を用いた物理的処理法、濾過、剪断力、キャビテーション等を用いた機械的処理法、オゾン、酸素除去、塩素等を用いた化学的処理法、又は、これらの２種以上の処理法を複合させた複合処理法等が挙げられる。
【００５０】
かかる３隻のバラスト処理水供給船１００が船舶１に横付けされたら、ホースハンドリングダビット２６を操作することにより、収納されている１０００ｍ3／ｈｒ用の口径のホース接続部を有する接続ホース２３ａ、２３ｂ、２３ｃを繰り出して各バラスト処理水供給船１００の供給口と接続する。このとき、制御部３は、これら接続ホース２３ａ、２３ｂ、２３ｃに対応する開閉弁２４を開き、３０００ｍ3／ｈｒ用の口径の接続部を有する接続ホース２３ｄに対応する開閉弁２４を閉じる。
【００５１】
バラスト処理水供給船１００内の供給ポンプの作動によりバラスト処理水の供給が開始されたら、船舶１内のバラストポンプ１４を作動させることにより、各接続ホース２３ａ、２３ｂ、２３ｃを介してバラスト処理水をバラストライン１２に導入する。このときバラストライン１２中の開閉弁１３は閉じた状態にある。
【００５２】
各バラスト処理水供給船１００からは、それぞれ１０００ｍ3／ｈｒずつのバラスト処理水が供給される。受入装置２は、これらを合流することによって合計３０００ｍ3／ｈｒのバラスト処理水の受給を行うことができる。従って、バラストポンプ１４によってシーチェスト１１から通常通りバラスト水を取水する場合と同様の注水時間で所要量のバラスト処理水を受給することができる。
【００５３】
このとき、制御部３は、各接続ホース２３ａ〜２３ｃに対応する流量計２５の測定値を監視することにより、必要に応じて開閉弁２４の開度を調整して、各接続ホース２３ａ〜２３ｃからの流量を個別に制御することもできる。
【００５４】
このようにしてバラスト処理水が受入装置２によってバラストライン１２中に導入された後は、既設のバラストライン１２によって従来通り各バラストタンクに注水される。
【００５５】
所要量のバラスト処理水が導入されたら、バラストポンプ１４の作動停止の後、接続ホース２３ａ、２３ｂ、２３ｃと各バラスト処理水供給船１００との接続を解除し、ホースハンドリングダビット２６を操作して接続ホース２３ａ、２３ｂ、２３ｃを収納する。
【００５６】
図６は、同じく船舶１において、バラスト処理水供給船からバラスト処理水の供給を受ける他の態様を示しており、ここでは、３０００ｍ3／ｈｒのバラスト処理水の供給能力を有する１隻のバラスト処理水供給船２００からバラスト処理水を受給する様子を示している。
【００５７】
バラスト処理水供給船２００が船舶１に横付けされたら、ホースハンドリングダビット２６を操作することにより、収納されている３０００ｍ3／ｈｒ用の口径の接続部を有する接続ホース２３ｄを繰り出してバラスト処理水供給船２００の供給口と接続する。このとき、制御部３は、接続ホース２３ｄに対応する開閉弁２４を開き、１０００ｍ3／ｈｒ用の口径の接続部を有する接続ホース２３ａ、２３ｂ、２３ｃに対応する開閉弁２４を閉じる。
【００５８】
バラスト処理水供給船２００内の供給ポンプの作動によりバラスト処理水の供給が開始されたら、船舶１内のバラストポンプ１４を作動させることにより、接続ホース２３ｄを介してバラスト処理水をバラストライン１２に導入する。このときバラストライン１２中の開閉弁１３は閉じた状態にある。
【００５９】
バラスト処理水供給船２００からは、３０００ｍ3／ｈｒのバラスト処理水が供給されるので、３０００ｍ3／ｈｒ用の口径の接続部を有する接続ホース２３ｄ単独で、そのまま３０００ｍ3／ｈｒのバラスト処理水を導入することができる。従って、バラストポンプ１４によってシーチェスト１１から通常通りバラスト水を取水する場合と同様の注水時間で所要量のバラスト処理水を受給することができる。
【００６０】
このとき、制御部３は、接続ホース２３ｄに対応する流量計２５の測定値を監視することにより、必要に応じて開閉弁２４の開度を調整して、接続ホース２３ｄからの流量を制御することもできる。
【００６１】
このようにしてバラスト処理水がバラストライン１２中に導入された後は、既設のバラストライン１２によって従来通り各バラストタンクに注水される。
【００６２】
所要量のバラスト処理水が導入されたら、バラストポンプ１４の作動停止の後、接続ホース２３ｄとバラスト処理水供給船２００との接続を解除し、ホースハンドリングダビット２６を操作して接続ホース２３ｄを収納する。
【００６３】
このようにバラスト処理水の受入装置２を搭載した船舶１によれば、バラスト水の処理装置を搭載しなくても、既設のバラストライン１２を利用して、バラストタンク内にクリーンなバラスト処理水を貯留することができる。
【００６４】
また、受入装置２は、バラスト処理水供給船の供給能力に対応させて、複数の接続ホース２３ａ〜２３ｄのうちの１又は２以上のホースを選択的に使用することができるので、個々の供給能力がバラストポンプ１４の能力よりも小さいバラスト処理水供給船からバラスト処理水を受給する場合であっても、２以上の接続ホースを使用して複数隻のバラスト処理水供給船から同時にバラスト処理水を受給することにより、バラストポンプ１４の能力に対応したバラスト処理水の受給が可能である。このため、通常時に比べてバラスト処理水の注水時間が大幅にかかってしまうような問題はない。
【００６５】
しかも、船舶１の内部には、既設のバラストライン１２に対してバラストポンプ１４の入口側に導入配管２１の一端２１ａを取り付けるだけの単純な構成を付加するだけでよいため、既造船舶の場合でも大掛かりな改修工事は必要なく、狭いスペース内にも設置可能であり、極めて簡単且つ安価に組込むことができる。
【００６６】
また、船舶１内には特別な設置スペースを必要としないため、新造船の場合でも、従来の設計図がほぼそのまま使用できる利点もある。
【００６７】
なお、以上の説明では、受入装置２は４本の接続ホース２３ａ〜２３ｄを有するものとしたが、これに限定されず、接続ホースは複数本であればよい。
【００６８】
また、複数の接続ホースのうち、バラスト処理水供給船からバラスト処理水を受給する際に使用する接続ホースの本数及び受水口の接続部の口径は、以上説明した態様に限定されず、バラストポンプ１４の能力、想定されるバラスト処理水供給船の供給能力等を勘案して適宜決定することができる。
【００６９】
更に、受入装置２は、各接続ホースとホースハンドリングダビット以外の構成部材を船舶内に設置してもよく、また、導入配管２１をホース（フレキシブルホース）によって形成してもよい。
【００７０】
また、バラスト処理水を受給するための複数の受水口は、以上説明した接続ホース２３ａ〜２３ｄの先端に形成するものに限らず、例えば図７に示すように船舶１の船体側面１ａにそれぞれ開口するものとしてもよい。
【００７１】
この場合、例えばバラスト処理水供給船１００、２００が保有する供給ホース３００を受水口２３ａ’…に接続することにより、バラスト処理水の受給を行うことができる。
【図面の簡単な説明】
【００７２】
【図１】バラスト処理水の受入装置を装備した船舶の概略構成を示す側面図
【図２】バラスト処理水の受入装置を装備した船舶の平面図
【図３】バラスト処理水の受入装置を装備した船舶の内部構成を示す概略図
【図４】受入装置の制御を行う制御部の構成を示す構成図
【図５】受入装置によってバラスト処理水供給船からバラスト処理水の供給を受ける様子を説明する模式図
【図６】受入装置によってバラスト処理水供給船からバラスト処理水の供給を受ける他の様子を説明する模式図
【図７】船体側面の受水口からバラスト処理水を受給する様子を示す模式図
【符号の説明】
【００７３】
１：船舶
１Ａ：デッキ
１１：シーチェスト
１２：バラストライン
１３：開閉弁
１４：バラストポンプ
２：受入装置
２１：導入配管
２１ａ：一端
２１ｂ：船内配管部
２１ｃ：Ｔ字状部
２１ｄ：右舷直管部
２１ｅ：左舷直管部
２２ａ〜２２ｄ：接続管
２３ａ〜２３ｄ：接続ホース
２３ａ’〜２３ｄ’：受水口
２４：開閉弁
２５：流量計
２６：ホースハンドリングダビット
１００、２００：バラスト処理水供給船
３００：供給ホース
【図１】
2008189205.tif 000003
【図２】
2008189205.tif 000004
【図３】
2008189205.tif 000005
【図４】
2008189205.tif 000006
【図５】
2008189205.tif 000007
【図６】
2008189205.tif 000008
【図７】
2008189205.tif 000009